(57)【要約】【課題】蛍光ランプ及びＬＥＤランプの両方を点灯可能な照明器具を提供する。【解決手段】照明器具Ａは、直管形の蛍光ランプ、又は蛍光ランプと外形寸法が同寸法に形成された直管形のＬＥＤランプ４の何れかが着脱自在に装着されるランプソケット３，３と、ランプソケット３，３が取着された器具本体と、ランプソケット３，３に装着された蛍光ランプ又はＬＥＤランプ４に点灯電力を供給する給電部２と、ランプソケット３，３に装着されたランプがＬＥＤランプ４であることを検出する検出部５とを備えている。給電部２は、高周波電力又は直流電力の何れか一方を選択的に出力する電源回路２１と、電源回路２１の出力を切り替える切替回路２２とを有し、切替回路２２は、検出部５の検出結果に応じて、電源回路２１の出力を高周波電力又は直流電力の何れか一方に切り替えるのである。【選択図】図１
2011171227.tif 000002
【特許請求の範囲】
【請求項１】
直管形の蛍光ランプ、又はこの蛍光ランプと外形寸法が同寸法に形成された直管形のＬＥＤランプの何れかが着脱自在に装着されるランプソケットと、
前記ランプソケットが取着された器具本体と、
前記ランプソケットに装着された前記蛍光ランプ又は前記ＬＥＤランプに点灯電力を供給する給電部と、
前記ランプソケットに装着されたランプが前記蛍光ランプ又は前記ＬＥＤランプの何れか一方であることを検出する検出部とを備え、
前記給電部は、高周波電力又は直流電力の何れか一方を選択的に出力する電源回路と、前記検出部の検出結果に応じて前記電源回路の出力を高周波電力又は直流電力の何れか一方に切り替える切替回路とを有することを特徴とする照明器具。
【請求項２】
前記ＬＥＤランプは、光の照射方向と反対側に導電性の放熱部を有し、
前記検出部は、前記ランプソケット又は前記器具本体の何れか一方に設けられ、前記ランプソケットに装着された前記ＬＥＤランプの前記放熱部を介して導通する接点部で構成され、
前記切替回路は、前記接点部が前記放熱部を介して導通すると前記電源回路の出力を前記直流電力に切り替え、前記接点部が非導通であれば前記電源回路の出力を前記高周波電力に切り替えることを特徴とする請求項１記載の照明器具。
【請求項３】
前記検出部は、前記ランプソケット又は前記器具本体の何れか一方に設けられ、前記ランプソケットに装着される前記ＬＥＤランプに設けられた突起部により押圧されるスイッチ部で構成され、
前記切替回路は、前記スイッチ部が前記突起部により押されると前記電源回路の出力を前記直流電力に切り替え、前記スイッチ部が押されていなければ前記電源回路の出力を前記高周波電力に切り替えることを特徴とする請求項１記載の照明器具。
【発明の詳細な説明】
【技術分野】
【０００１】
本発明は、照明器具に関し、特に、蛍光ランプ及びＬＥＤランプの両方を点灯可能な照明器具に関するものである。
【背景技術】
【０００２】
従来より、天井面に取り付けられて室内を照明する照明器具が提供されている（例えば特許文献１参照）。この照明器具は、直管形の蛍光ランプと、点灯装置が組み込まれた器具本体と、蛍光ランプを機械的に保持するとともに、点灯装置からの点灯電力を蛍光ランプに供給する２個１組のランプソケットとを備えている。この照明器具では、点灯装置から蛍光ランプに所定の高周波電力を供給することによって、蛍光ランプが所定の輝度で点灯し、室内を照明するのである。
【先行技術文献】
【特許文献】
【０００３】
【特許文献１】特開２０１０−９７９１号公報（段落［００４０］、及び、第８図）
【発明の概要】
【発明が解決しようとする課題】
【０００４】
近年、電力消費の少ないＬＥＤ（発光ダイオード）を光源とし、外形形状及び寸法が直管形の蛍光ランプと同じＬＥＤランプが提供されている。しかしながら、上述の特許文献１に示した照明器具では、点灯装置から供給される電力が高周波の交流電力であるため、蛍光ランプについては点灯させることができるものの、直流電力を駆動源とするＬＥＤランプについては点灯装置を交換しなければ点灯させることができなかった。つまり、従来例の照明器具は、蛍光ランプ及びＬＥＤランプの両方を点灯させる機能を備えたものではなかった。
【０００５】
本発明は上記問題点に鑑みて為されたものであり、その目的とするところは、蛍光ランプ及びＬＥＤランプの両方を点灯可能な照明器具を提供することにある。
【課題を解決するための手段】
【０００６】
上記課題を解決するために第１の発明の照明器具は、直管形の蛍光ランプ、又はこの蛍光ランプと外形寸法が同寸法に形成された直管形のＬＥＤランプの何れかが着脱自在に装着されるランプソケットと、ランプソケットが取着された器具本体と、ランプソケットに装着された蛍光ランプ又はＬＥＤランプに点灯電力を供給する給電部と、ランプソケットに装着されたランプが蛍光ランプ又はＬＥＤランプの何れか一方であることを検出する検出部とを備え、給電部は、高周波電力又は直流電力の何れか一方を選択的に出力する電源回路と、検出部の検出結果に応じて電源回路の出力を高周波電力又は直流電力の何れか一方に切り替える切替回路とを有することを特徴とするものである。ここに、上記の外形寸法とは、ランプの長さ寸法及び口金のランプソケットへの取付部分に係る寸法のことをいう。
【０００７】
第２の発明の照明器具は、第１の発明において、ＬＥＤランプは、光の照射方向と反対側に導電性の放熱部を有し、検出部は、ランプソケット又は器具本体の何れか一方に設けられ、ランプソケットに装着されたＬＥＤランプの放熱部を介して導通する接点部で構成され、切替回路は、接点部が放熱部を介して導通すると電源回路の出力を直流電力に切り替え、接点部が非導通であれば電源回路の出力を高周波電力に切り替えることを特徴とするものである。
【０００８】
第３の発明の照明器具は、第１の発明において、検出部は、ランプソケット又は器具本体の何れか一方に設けられ、ランプソケットに装着されるＬＥＤランプに設けられた突起部により押圧されるスイッチ部で構成され、切替回路は、スイッチ部が突起部により押されると電源回路の出力を直流電力に切り替え、スイッチ部が押されていなければ電源回路の出力を高周波電力に切り替えることを特徴とするものである。
【発明の効果】
【０００９】
蛍光ランプ及びＬＥＤランプの両方を点灯可能な照明器具を提供することができるという効果がある。
【図面の簡単な説明】
【００１０】
【図１】（ａ）は実施形態１の照明器具の一例を示す概略構成図、（ｂ）は同上に用いられるＬＥＤランプの外観斜視図である。
【図２】（ａ）は同上を構成するランプソケットにＬＥＤランプを装着した状態の一部省略せる側面図、（ｂ）は同上を構成するランプソケットの正面図、（ｃ）は同上を構成するランプソケットの他の例を示す正面図である。
【図３】実施形態２の照明器具の一例を示す概略構成図である。
【図４】（ａ）は同上を構成するランプソケットにＬＥＤランプを装着した状態の一部省略せる側面図、（ｂ）は同上を構成するランプソケットの正面図、（ｃ）は同上を構成するランプソケットに装着されるＬＥＤランプの一部省略せる外観斜視図である。
【図５】（ａ）は同上の他の例を示す概略構成図、（ｂ）はそれに用いられるＬＥＤランプの外観斜視図である。
【発明を実施するための形態】
【００１１】
本発明に係る照明器具の実施形態を図面に基づいて説明する。本発明に係る照明器具は、例えば天井面に取り付けられて室内を照明するために用いられる。
【００１２】
（実施形態１）
図１（ａ）は本実施形態の照明器具Ａの一例を示す概略構成図であり、本照明器具Ａは、後述のランプが着脱自在に装着される一対のランプソケット３，３と、ランプソケット３，３が、接続面３１（図２参照）を互いに対向させた状態で取着される器具本体１（図２参照）と、ランプソケット３，３に装着されたランプに点灯電力を供給する給電部２と、所定のランプがランプソケット３，３に装着されたことを検出する検出部５とを主な構成要素として備えている。なお、器具本体１及びランプソケット３については従来周知のものであり、詳細な説明については省略する。
【００１３】
給電部２は、図１（ａ）に示すように、高周波電力又は直流電力の何れか一方を選択的に出力する電源回路２１と、ランプソケット３，３に装着されたランプの種類に応じて、電源回路２１の出力を高周波電力又は直流電力の何れか一方に切り替える切替回路２２とで構成されている。電源回路２１は、高周波電力を出力するインバータ回路２１ａと、直流電力を出力する直流電源回路２１ｂとを有しており、切替回路２２からの切替信号に応じて何れかの回路に切り替えられる。
【００１４】
検出部５は、図１（ａ）に示すように、一対の接点５１ａ，５１ａからなる接点部５１で構成されており、各接点５１ａは、それぞれ対応するランプソケット３に設けられている。また、各接点５１ａは、それぞれ信号線６を介して給電部２の切替回路２２に電気的に接続されており、切替回路２２では、接点部５１の導通状態に応じて切替信号を出力する。具体的には、切替回路２２は、接点部５１が導通すると電源回路２１の出力を直流電力に切り替える切替信号を出力し、逆に接点部５１が非導通であれば電源回路２１の出力を高周波電力に切り替える切替信号を出力する。そして、電源回路２１は、切替回路２２からの切替信号に応じて、インバータ回路２１ａ又は直流電源回路２１ｂの何れか一方の出力をランプソケット３，３間に供給するのである。
【００１５】
ここにおいて、本実施形態の照明器具Ａに用いられるランプとしては、従来周知の直管形の蛍光ランプ（図示せず）と、この蛍光ランプと外形寸法（ランプの長さ寸法及び口金のランプソケットへの取付部分に係る寸法）が同寸法に形成されたＬＥＤランプ４とがある。
【００１６】
図１（ｂ）はＬＥＤランプ４の外観斜視図であり、ＬＥＤランプ４は、細長い直管状に形成された発光管４５と、発光管４５の長手方向両端部に設けられた口金４３，４３とで構成され、内部に複数のＬＥＤ（発光ダイオード）が実装された基板を収納する。発光管４５の周面のうち取付状態における下半分は、光拡散性を備えた樹脂により形成された光拡散部４１からなり、上半分は導電性材料（例えば放熱性を考慮して銅など）により形成された放熱部４２（図１（ｂ）中の斜線部）からなる。また、各口金４３の端面には、ＬＥＤランプ４をランプソケット３に電気的且つ機械的に接続するための一対の接続ピン４３ａ，４３ａがそれぞれ突設されている。このＬＥＤランプ４は、発光管４５の長さ寸法及び口金４３のランプソケット３への取付部分に係る寸法が蛍光ランプと同寸法に設定されており、蛍光ランプとの間で互換性を有している。なお、蛍光ランプについては、従来周知のものであるから説明は省略する。
【００１７】
次に、本実施形態の照明器具Ａの動作について説明する。天井面に取り付けられた照明器具Ａに対してＬＥＤランプ４を取り付けると、ＬＥＤランプ４はランプソケット３，３に電気的且つ機械的に接続された状態になる（図１（ａ）参照）。図２（ａ）はその要部詳細図であり、ランプソケット３に設けられた接点５１ａがＬＥＤランプ４に設けられた放熱部４２に接触した状態になる。放熱部４２は、上述のように導電性を備えているため、この放熱部４２にそれぞれ接触している接点５１ａ，５１ａ間は導通した状態になる。
【００１８】
すると、給電部２の切替回路２２は、接点部５１が導通していることから、電源回路２１に対して直流電源回路２１ｂに切り替える切替信号を出力する。そして、電源回路２１は、上記の切替信号により直流電源回路２１ｂに切り替えられ、ＬＥＤランプ４に直流電力を供給するのである。
【００１９】
一方、照明器具Ａに対して蛍光ランプを取り付けた場合には、蛍光ランプのバルブは導電性を有しないガラスで形成されているので、接点部５１は非導通のままであり、切替回路２２は、電源回路２１に対してインバータ回路２１ａに切り替える切替信号を出力する。そして、電源回路２１は、上記の切替信号によりインバータ回路２１ａに切り替えられ、蛍光ランプに高周波電力を供給するのである。
【００２０】
而して、本実施形態によれば、接続されるランプの種類に応じて給電部２から供給される電力を切り替えることができるので、蛍光ランプ及びＬＥＤランプ４の両方を点灯可能な照明器具Ａを提供することができる。また、検出部５の検出結果に応じて給電が自動的に切り替えられることから、スイッチなどで設定する場合に比べて人為的なミスを防止することができる。さらに、間違ったランプを取り付けることも防止できることから、安全性にも配慮した照明器具Ａを提供することができる。
【００２１】
なお、本実施形態では、各ランプソケット３にそれぞれ接点５１ａを設けているが、図２（ｃ）に示すように、一方のランプソケット３に両接点５１ａ，５１ａを設けてもよい。また、これらの接点５１ａ，５１ａはランプソケット３に限らず、器具本体１に設けてもよい。さらに、本実施形態では、発光管４５の全長に渡って放熱部４２を設けているが、必ずしも発光管４５の全長に渡って設けなくてもよく、両接点５１ａ，５１ａ間を導通させることができ、且つＬＥＤの放熱性を確保できれば一部であってもよい。
【００２２】
（実施形態２）
本発明に係る照明器具の実施形態２について図３〜図５に基づいて説明する。実施形態１では、ランプソケット３，３に設けた接点部５１（接点５１ａ，５１ａ）により検出部５を構成しているが、本実施形態では、ランプソケット３に設けたスイッチ部５２により検出部５を構成している。なお、以下の説明において、実施形態１と同様の構成については同一の符号を付して説明は省略する。
【００２３】
図３は本実施形態の照明器具Ａの一例を示す概略構成図であり、本照明器具Ａは、一対のランプソケット３，３と、器具本体１（図４（ａ）参照）と、給電部２と、検出部５とを主な構成要素として備えている。
【００２４】
検出部５は、図３、図４（ａ）及び図４（ｂ）に示すように、外部からの押操作に応じて内部接点がオン／オフされるスイッチ部５２で構成されており、一方（図３中の左側）のランプソケット３に設けられている。このスイッチ部５２の内部接点は、信号線６を介して給電部２の切替回路２２に電気的に接続されており、切替回路２２では、内部接点の導通状態に応じて切替信号を出力する。具体的には、切替回路２２は、スイッチ部５２がオンされて内部接点が導通すると、電源回路２１の出力を直流電力に切り替える切替信号を出力し、逆にスイッチ部５２がオフになって内部接点が非導通になれば、電源回路２１の出力を高周波電力に切り替える切替信号を出力する。そして、電源回路２１は、切替回路２２からの切替信号に応じてインバータ回路２１ａ又は直流電源回路２１ｂの何れか一方の出力をランプソケット３，３間に供給するのである。
【００２５】
図４（ｃ）は本実施形態のＬＥＤランプ４の一部省略せる外観斜視図であり、発光管４５と口金４３の連結部近傍には突起部４４が一体に設けられている。この突起部４４は、ＬＥＤランプ４をランプソケット３，３に装着した際に、上記のスイッチ部５２を押すために設けられたものである。つまり、スイッチ部５２は、ＬＥＤランプ４を装着した際にはオンになり、蛍光ランプを装着した際にはオフのままである。
【００２６】
次に、本実施形態の照明器具Ａの動作について説明する。天井面に取り付けられた照明器具Ａに対してＬＥＤランプ４を取り付けると、ＬＥＤランプ４はランプソケット３，３に電気的且つ機械的に接続された状態になる（図３参照）。図４（ａ）はその要部詳細図であり、ランプソケット３に設けられたスイッチ部５２がＬＥＤランプ４に設けられた突起部４４によりオンにされ、スイッチ部５２の内部接点が導通した状態となる。
【００２７】
すると、給電部２の切替回路２２は、スイッチ部５２の内部接点が導通していることから、電源回路２１に対して直流電源回路２１ｂに切り替える切替信号を出力する。そして、電源回路２１は、上記の切替信号により直流電源回路２１ｂに切り替えられ、ＬＥＤランプ４に直流電力を供給するのである。
【００２８】
一方、照明器具Ａに対して蛍光ランプを取り付けた場合には、蛍光ランプには上記の突起部が設けられていないので、スイッチ部５２はオフのままであり、したがってスイッチ部５２の内部接点も非導通のままである。すると、切替回路２２は、電源回路２１に対してインバータ回路２１ａに切り替える切替信号を出力する。そして、電源回路２１は、上記の切替信号によりインバータ回路２１ａに切り替えられ、蛍光ランプに高周波電力を供給するのである。
【００２９】
而して、本実施形態によれば、接続されるランプの種類に応じて給電部２から供給される電力を切り替えることができるので、蛍光ランプ及びＬＥＤランプ４の両方を点灯可能な照明器具Ａを提供することができる。また、検出部５の検出結果に応じて給電が自動的に切り替えられることから、スイッチなどで設定する場合に比べて人為的なミスを防止することができる。さらに、間違ったランプを取り付けることも防止できることから、安全性にも配慮した照明器具Ａを提供することができる。
【００３０】
なお、本実施形態では、スイッチ部５２をランプソケット３に設けているが、図５（ａ）に示すように、スイッチ部５２を器具本体１に設けてもよい。この場合、図５（ｂ）に示すように、ＬＥＤランプ４にはスイッチ部５２に対応する部位に突起部４４’が設けられることになる。また、本実施形態では、ＬＥＤランプ４の発光管４５の取付状態における上半分を放熱部４２で構成しているが、この放熱部４２は必ずしも設けなくてもよい。
【００３１】
さらに、実施形態１では一対の接点５１ａ，５１ａからなる接点部５１で検出部５を構成し、実施形態２ではスイッチ部５２で検出部５を構成しているが、これらは一例であって、ランプソケットに接続されるランプを判別できるものであれば他のものであってもよい。また、検出部を設ける場所についても本実施形態に限定されるものではなく、適宜設計すればよい。
【符号の説明】
【００３２】
１  器具本体
２  給電部
３  ランプソケット
４  ＬＥＤランプ
５  検出部
２１  電源回路
２２  切替回路
Ａ  照明器具
【図１】
2011171227.tif 000003
【図２】
2011171227.tif 000004
【図３】
2011171227.tif 000005
【図４】
2011171227.tif 000006
【図５】
2011171227.tif 000007